(57)【要約】【課題】ゴージャスで綺麗な宝飾性を備え、小動物ペットの寛ぎの場所となると同時に室内外でのインテリア的な機能を併せ持ったペットハウスを提供する。【解決手段】天井部３と床部２との間に側面部４を有し、該側面部４の一部を開放して出入口５とするペットハウス１を形成する。天井部３および側面部４は、互いに組み付けた複数の骨組材１ａ，１ｂと、該骨組材１ａ，１ｂ同士の間をビーズ体８で覆うように敷き詰めた状態に配設してなる模擬宝飾面部６とを有する。また、ペットハウス１は、床部２と、該床部２のサイズよりも小さなサイズのドーム状の天井部３と、該天井部３から床部２にかけて末広がりとなって延びる側面部４と、該側面部４の一部を開放した出入口５とを備え、全体形状が略釣鐘型の形状を呈する構成とする。【選択図】図１
0003136649.tif 000002
【実用新案登録請求の範囲】
【請求項１】
天井部と床部との間に側面部を有し、該側面部に出入口を有してなるペットハウスにおいて、天井部および側面部は、互いに組み付けられた複数の骨組材と、該骨組材同士の間を紐材に装着したビーズ体で覆う状態に配設してなる模擬宝飾面部とを備えていることを特徴とするペットハウス。
【請求項２】
ペットハウスは、床部のサイズよりも小さなサイズのドーム状の天井部と、該天井部から床部にかけて末広がりとなって延びる側面部と、天井部および床部の間の側面部の一部を開放した出入口とを備え、全体形状が略釣鐘型の形状を呈している請求項１記載のペットハウス。
【請求項３】
床部の周面には模擬宝飾品が嵌着され、天井部と側面部との間に設けられた隙間には、模擬宝飾品が天井部側から吊り下げられて当該隙間を埋めるようにした状態で配され、出入口の上部中央に位置する隙間には、模擬宝飾品として、該隙間に配したアクセサリーから紐材を介してビーズ体が簾状に吊り下げられている請求項１または２記載のペットハウス。
【請求項４】
床部と、床部のサイズよりも小さなサイズのドーム状の天井部と、該天井部から床部にかけて末広がりとなって延びる側面部と、天井部および床部の間の側面部の一部を開放した出入口とを備え、全体形状が略釣鐘型の形状を呈してなるペットハウスであって、天井部および側面部は、互いに組み付けられた複数の骨組材と、該骨組材同士の間を紐材に装着したビーズ体で覆う状態に配設してなる模擬宝飾面部とを有し、床部の周面には模擬宝飾品が嵌着され、天井部と側面部との間に設けられた隙間には、模擬宝飾品が天井部側から吊り下げられて当該隙間を埋めるようにした状態で配され、出入口の上部中央に位置する隙間には、模擬宝飾品として配したアクセサリーから紐材を介してビーズ体が簾状に吊り下げられていることを特徴とするペットハウス。
【考案の詳細な説明】
【技術分野】
【０００１】
本考案は、例えば犬・猫等の小動物ペットに寛ぎの場所を与え、またゴージャスな印象が得られるペットハウスに関する。
【背景技術】
【０００２】
従来から、この種のペットハウスとしては、例えば特許文献１に開示されているように、段ボール等の紙材にて形成され、内部にペット収容室を有する内側ケースと、この内側ケースに一体に組み付けられると共に、該内側ケースを覆うように外周に配置された外側ケースとを備え、外側ケースに、打ち抜きによって文字が形成されてなるペットハウスが存在する。
【０００３】
また、特許文献２に開示されているように、発泡スチロール等の発泡プラスチックを芯材とし、その表面にポリオールとイソシアネートを別々に加熱しながらスプレーガンに導入して混合・反応させながらポリウレタン塗装をし、さらにその表面にヒートレスガラスを塗布したパネルを組み立ててペットハウスとし、そのペットハウス内に波長６〜３０μｍの遠赤外線を多く発生することができるヒーターとペルチエ素子集積板とを配設してなるペットハウスが存在する。
【０００４】
さらに、特許文献３に開示されているように、直方体の骨組み本体の裏面と底部を板等の適宜素材にて覆い、正面と両側面に取外し自在の金属製・合成樹皮・木製等のネットを設け、上面の後方３分の１の面を板等の適宜素材にて固定し、上面の前方３分の２部分を同一材質による蝶番を取付けた開閉式の蓋を設け、前面中央に補強材を垂直に設けて人が腰掛けられるベンチ式とし、裏面を除く周囲３面のネットを取外し自在とし解放面を多用し上面を開閉式とし、両サイドを連結可能とし多義の機能性を取り入れ、ペットの住まいとベンチの機能を併せた室内用ベンチ式ペットハウスなる技術が存在する。
【特許文献１】特開２００６−２０４２０４号公報
【特許文献２】特開２００２−２６２６９２号公報
【特許文献３】実用新案登録第３１２２８０４号公報
【考案の開示】
【考案が解決しようとする課題】
【０００５】
しかしながら、このような従来においては、特許文献１のペットハウスでは、ペットハウスの外側ケースに打ち抜きによって文字が形成されていても外観的には何等の宝飾性を有していない。
【０００６】
また、特許文献２のペットハウスでは、ポリウレタン塗装とヒートレスガラス塗布とによるパネルを組み立てることでペットハウスを形成しても、特許文献１の場合と同様に外観的には何等の宝飾性を有していない。
【０００７】
さらに、特許文献３の室内用ベンチ式ペットハウスでは、ペットの住まいとベンチの機能を併せた室内用ベンチ式ペットハウスであっても、特許文献１および特許文献２の場合と同様に外観的には何等の宝飾性を有していない。
【０００８】
そこで、本考案は叙上のような従来存した諸事情に鑑み創案されたもので、ゴージャスで綺麗な宝飾性を備え、小動物ペットの寛ぎの場所を付与すると同時に室内外でのインテリア的な機能を併せ持ったペットハウスを提供することを目的とする。
【課題を解決するための手段】
【０００９】
上述した課題を解決するため、本考案にあっては、天井部３と床部２との間に側面部４を有し、該側面部４に出入口５を有してなるペットハウス１において、天井部３および側面部４は、互いに組み付けられた複数の骨組材１ａ，１ｂと、該骨組材１ａ，１ｂ同士の間を紐材７に装着したビーズ体８で覆う状態、いわばビーズ体８を敷き詰めた状態に配設してなる模擬宝飾面部６とを備えて成るものである。
【００１０】
ペットハウス１は、床部２のサイズよりも小さなサイズのドーム状の天井部３と、該天井部３から床部２にかけて末広がりとなって延びる側面部４と、天井部３および床部２の間の側面部４の一部を開放した出入口５とを備え、全体形状が略釣鐘型の形状を呈しているものとすることができる。
【００１１】
床部２の周面には模擬宝飾品９が嵌着され、天井部３と側面部４との間に設けられた隙間Ｓには、模擬宝飾品９が天井部３側から吊り下げられて当該隙間Ｓを埋めるようにした状態で配され、出入口５の上部中央に位置する隙間Ｓには、模擬宝飾品９として、該隙間に配したアクセサリーＷから紐材７を介してビーズ体８が簾状に吊り下げられているものとすることができる。
【００１２】
以上のように構成された本考案に係るペットハウス１にあって、天井部３および側面部４の互いに組み付けられた複数の骨組材１ａ，１ｂ同士の間を紐材７に装着したビーズ体８で覆う状態に配設してなる模擬宝飾面部６は、小動物ペットの寛ぎの場所を提供するペットハウス１に、ゴージャスで綺麗な宝飾性を付与させることから、室内外でのインテリア的な機能を発揮させる。
また、全体形状が略釣鐘型の形状を呈しているペットハウス１は、アラビア風的なデザインによるインテリアハウスとして使用可能にさせる。
さらに、天井部３と側面部４との間において模擬宝飾品９を配設してなる隙間Ｓは、外観上においてゴージャスな空間を形成すると同時に立体的で且つ神秘的な宝飾機能を発揮させる。
【考案の効果】
【００１３】
本考案によれば、ゴージャスで綺麗な宝飾性を備え、小動物ペットの寛ぎの場所を付与すると同時に室内外でのインテリア的な機能を併せ持つことができる。
【００１４】
すなわち、これは本考案が、天井部３および側面部４において、互いに組み付けられた複数の骨組材１ａ，１ｂ同士の間を紐材７に装着したビーズ体８で覆う状態に配設してなる模擬宝飾面部６を備えたからであり、これにより、小動物ペットの寛ぎの場所を提供するペットハウス１に、ゴージャスで綺麗な宝飾性を付与させることができ、室内外でのインテリア的な機能を発揮させることができる。
【００１５】
ペットハウス１は、床部２のサイズよりも小さなサイズのドーム状の天井部３と、該天井部３から床部２にかけて末広がりとなって延びる側面部４と、天井部３および床部２の間の側面部４の一部を開放した出入口５とを備え、全体形状が略釣鐘型の形状を呈しているので、小動物ペットの寛ぎの場所を提供するペットハウス１に、アラビア風的なデザインによるインテリアハウスとしての外観を付与することができる。
【００１６】
床部２の周面には模擬宝飾品９が嵌着され、天井部３と側面部４との間に設けられた隙間Ｓには、模擬宝飾品９が天井部３側から吊り下げられて当該隙間Ｓを埋めるようにした状態で配され、出入口５の上部中央に位置する隙間Ｓには、模擬宝飾品９として、該隙間Ｓに配したアクセサリーＷから紐材７を介してビーズ体８が簾状に吊り下げられているので、小動物ペットの寛ぎの場所を提供するペットハウス１に、外観上においてゴージャスな空間を形成することができると同時に立体的で且つ神秘的な宝飾機能を発揮させることができる。
【００１７】
尚、上記の課題を解決するための手段、考案の効果の項それぞれにおいて付記した符号は、図面中に記載した構成各部を示す部分との参照を容易にするために付したもので、図面中の符号によって示された構造・形状に本考案が限定されるものではない。
【考案を実施するための最良の形態】
【００１８】
以下、図面を参照して本考案を実施するための最良の一形態を説明する。図において示される符号１は、例えば犬・猫等の小動物ペットに寛ぎの場所を与えるためのペットハウスである。該ペットハウス１は、図１に示すように、円盤状の床部２と、該床部２の直径よりも小さなサイズの円形ドーム状の天井部３と、該天井部３から床部２にかけてスカート状に末広がりとなって延びる側面部４と、天井部３および床部２の間の側面部４の一部を開放した出入口５とから概ね構成され、全体形状が略釣鐘型の形状を呈している。
【００１９】
床部２は、若干厚みのある円盤状に形成され、その周面には模擬宝飾品９として例えば複数の模擬ダイヤ等が嵌着されている。そして、床部２の上面には小動物ペットが座ったときに違和感を感じさせないように例えば黄金色等のマットＭを敷設してある。
【００２０】
天井部３および側面部４は、複数の骨組材１ａ，１ｂを水平方向、沿直方向で組み付けて形成され、骨組材１ａ，１ｂ同士の間を模擬宝飾品９として例えば模擬ダイヤ等の透明ガラス状のビーズ体８によって覆う状態、いわばビーズ体８を敷き詰めた状態を呈するようにして配設してなる模擬宝飾面部６が形成されている。
【００２１】
すなわち、天井部３は、図２に示すように、この頂部となる塔部材から放射状に延びる円弧状に彎曲している縦骨組１ａと、該縦骨組１ａそれぞれの先端同士に接続されるよう上下部に配した環状の横骨組１ｂとを備え、縦骨組１ａと横骨組１ｂとによって囲繞されている略湾曲三角形状の各開口面同士には頂部の塔部材を中心とした同心円状に配されるようにした紐材７が等間隔の複数段にわたって張られている。そして、これら紐材７には模擬宝飾品９として例えば模擬ダイヤ等の透明ガラス状のビーズ体８を連続的に装着し、隣り合うビーズ体８同士が互いに隙間なく敷き詰められた状態の模擬宝飾面部６となった円形ドーム状の天井部３が形成されるものとしてある。紐材７自体は、縦骨組１ａ相互間に掛け渡されるようにして例えば水平方向に沿って多数段で配設されており、紐材７それぞれに例えばダイヤモンドカット状の各種形状で、大小があるビーズ体８が、このビーズ体８に紐材７が貫挿されることで紐材７によって支持されるようにして配列される。
【００２２】
一方、側面部４は、上側の円形開口部を形成する円形状の横骨組１ｂと、該横骨組１ｂに等間隔毎に連結され、下方に行くに従って次第に外方に反り返り状に湾曲させた弓形状の縦骨組１ａとを備え、該縦骨組１ａそれぞれの下端は、床部２の外縁部に接続されると共に、縦骨組１ａと横骨組１ｂとによって囲繞されている縦長の略湾曲台形状となった各開口面同士には紐材７が等間隔の複数段にわたって横向きに張られている。そして、これら紐材７には模擬宝飾品９として例えば模擬ダイヤ等の透明ガラス状のビーズ体８を連続的に装着支持し、隣り合うビーズ体８同士が互いに隙間なく敷き詰められた状態でスカート状に末広がりとなって延びる模擬宝飾面部６となった側面部４が形成されるものとしてある。
【００２３】
また、天井部３と側面部４との間には、図２に示すように、若干短めの複数の縦骨組１ａを介して隙間Ｓを設けてあり、該隙間Ｓには、模擬宝飾品９として例えば若干大きめの模擬ダイヤ等が天井部３側から吊り下げられた状態で配され、さらに出入口５の位置する上部中央における隙間Ｓに例えば六角形状のフレームＦ内に左右対称に湾曲されてなるリング状のアクセサリーＷを付設し、該アクセサリーＷには紐材７にビーズ体８を連続的に装着してなる模擬宝飾品９が簾状に吊り下げられている。
【００２４】
尚、本考案に係るペットハウス１は、上記した略釣鐘型の形状に限定されず、天井部３および側面部４がそれぞれビーズ体８による模擬宝飾面部６の構成となっていれば、他の種々の形状を呈していても良い。
【００２５】
ペットハウス１の使用に際し、小動物ペットは出入口５から入って床部２のマットＭ上に座り込で寛ぐ。このとき、小動物ペットは、全体形状が略釣鐘型の形状を呈しているペットハウス１の天井部３および側面部４それぞれの透明ガラス状のビーズ体８からなる模擬宝飾面部６によって囲まれることから、ペットハウス１の外側から小動物ペットを見ることができると同時に、アラビア風的な立体的で且つ神秘的なデザインによるゴージャスで綺麗な宝飾性豊かなインテリアハウスとしての感を呈するものとなるのである。
【図面の簡単な説明】
【００２６】
【図１】本考案を実施するための最良の形態におけるペットハウスを示す斜視図である。
【図２】同じくペットハウスの一部を省略した正面図である。
【符号の説明】
【００２７】
Ｓ…隙間                                Ｍ…マット
Ｆ…フレーム                            Ｗ…アクセサリー
１…ペットハウス                        １ａ…縦骨組（骨組材）
１ｂ…横骨組（骨組材）                  ２…床部
３…天井部                              ４…側面部
５…出入口                              ６…模擬宝飾面部
７…紐材                                ８…ビーズ体
９…模擬宝飾品
【図１】
0003136649.tif 000003
【図２】
0003136649.tif 000004